(57)【要約】【課題】理髪用バネ板の機能性と生産性を、より一層向上させる。【解決手段】一部を折り返し部として相互に連結させたところの、ナットの径と略等しい二つの環状板からなり、一方の環状板中央には止めネジの角胴に合致する角穴を、また他方の環状板中央には上記一方の環状板の角穴に対応し、該角穴よりひと回り大きな円形穴を有するとともに、二つの環状板の折り返し部を挟んで角穴および円形穴より外側に位置する環状板の、上記連結部に対して直交方向であって互いに相反する側の端部を切除し、さらにそれぞれの環状板の切除端の反対側端部にそれぞれ同一方向に向けた突起部を形成、かつ前記折り返し部により二つの環状板を突起部形成側に折り返してなる。これによりナット締め付け時における突起部の弾性撓み距離を拡大することによりバネ板の機能性を向上することができる。【選択図】図１
0003136385.tif 000002
【実用新案登録請求の範囲】
【請求項１】
二枚の鋏板を結合具により交差状かつ回動自在に結合させた鋏の上記結合具部分に装入されるバネ板であって、該バネ板は一部を折り返し部として相互に連結させたところの、ナットの径と略等しい二つの環状板からなり、しかもその一方の環状板中央には止めネジの角胴に合致する角穴を、また他方の環状板中央には上記一方の環状板の角穴に対応し、しかも該角穴よりひと回り大きな円形穴を有するとともに、二つの環状板の折り返し部を挟んで角穴および円形穴より外側に位置する環状板の、上記連結部に対して直交方向であって互いに相反する側の端部を切除し、さらにそれぞれの環状板の切除端の反対側端部にそれぞれ同一方向に向けた突起部を形成し、かつ前記折り返し部により二つの環状板を突起部形成側に折り返してなることを特徴とした理容鋏結合部用のバネ板。
【考案の詳細な説明】
【技術分野】
【０００１】
本考案は理容鋏の結合部に装入させるバネ板に関し、バネ板としての機能性の向上と、生産性ならびにコストの低減をはかることを目的とする。
【背景技術】
【０００２】
毛髪を切断する理容鋏は毛髪と同径の銅線より硬度の高い毛髪を断髪する場合において、一対の鋏板の刃先の鋭利さも必要であるが、それ以上に鋏板の開閉が滑らかで、しかも開閉にブレを生じて一対の鋏板間に毛髪が挟まれないようにせん断できることが必要である。そのために多くの場合、一対の鋏板の交差回動部分にネジを貫通させるとともに、該ネジに締め付け用のナットを螺合させ、かつナットの締め付け部分にバネ板を装入して上記した一対の鋏板の刃先を相互に引き寄せる方向に付勢させ、さらに一対の鋏板の開閉操作がスムースで、しかも締め付け度合いの操作を容易にするための結合部が構成されている。
【０００３】
上記のバネ板としては、中央に正方形の連結孔を開孔させたステンレス円板の、上記連結孔側方の相対する２辺の円弧部分を、それぞれ上下対称方向に一定の角度で曲げるとともに、一方の円弧部先端の上面および他方の円弧部先端の下面に、それぞれナットの回動制御溝と嵌合可能な回動制御突起を突設させたもの（特開２００２−１１３２７０号公報参照）が知られている。
【０００４】
また中央に四角の嵌合孔を有した円形金属板の相対する２辺の１辺より約１ミリの間隔をおいて、該１辺と平行にやや外側に傾斜させながら上方に折り曲げて形成した緩衝脚と、他の１辺より約１ミリの間隔をおいてこれと平行に切断して形成した緩衝縁と、前記緩衝脚を高さ０．５ミリ部分より緩衝脚及び嵌合孔面と平行となるよう外側方に折り曲げて形成したナット接面と、前記ナット接面中央より外側縁にかけて０．２ミリの高さで突設形成した回動制御突起とからなる座金（登録実用新案第３０６２２３４号）も知られている。
【特許文献１】特開２００２−１１３２７０号公報
【特許文献２】登録実用新案第３０６２２３４号公報
【考案の開示】
【考案が解決しようとする課題】
【０００５】
しかしながら、特許文献１に記載のものは、ステンレス円板の相対する２辺の両円弧部または屈折線部の撓み力により一対の鋏板の刃先を相互に引き寄せる方向に付勢させるために、経時的に撓み力が劣化して耐久性に劣るばかりでなく、両端縁部に形成した回動制御突起の突出方向を、互いに反対方向に向けて突出させるべく加工する必要があるために、加工性や生産性に劣り、またコスト高となるのを免れない。
【０００６】
また引用文献２に記載のものは、鋏の開閉操作において滑らかでしかもブレを生ずることのないように、結合部におけるネジとナットによる締め付け度合いについての調整が一応可能ではあるが、ナット側の底面に回動制御溝を形成する必要があるばかりでなく、一方の円形金属板の端縁を切断して緩衝縁とするために、回動制御突起の形成が片方の円形金属板の緩衝脚側にしか形成することができず、その結果ナットの下側に形成した回動制御溝との係合が必ずしも十分ではなく、ネジとナットによる締め付け度合いの微調整が困難である。
【課題を解決するための手段】
【０００７】
そこで本考案にあっては、環状円形金属板の両端部に突起部を形成できるとともに、しかも該突起部の突出を同一方向にして成形性を良好にし、かつネジとナットによる締め付け度合いの微調整をより一層簡単にしたものである。
【０００８】
具体的には二枚の鋏板を結合具により交差状に、かつ結合具により回動自在に結合させた鋏の上記結合具部分に装入されるバネ板であって、該バネ板は一部を折り返し部として相互に連結させたところの、ナットの径と略等しい二つの環状板からなり、しかもその一方の環状板中央には止めネジの角胴に合致する角穴を、また他方の環状板中央には上記一方の環状板の角穴に対応し、しかも該角穴よりひと回り大きな円形穴を有するとともに、二つの環状板の折り返し部を挟んで角穴および円形穴より外側に位置する環状板の、上記連結部に対して直交方向であって互いに相反する側の端部を切除し、さらにそれぞれの環状板の切除端の反対側端部にそれぞれ同一方向に向けた突起部を形成し、かつ前記折り返し部により二つの環状板を突起部形成側に折り返してなることを特徴とした理容鋏結合部用のバネ板に関する。
【考案の効果】
【０００９】
本考案は上記したように一部を折り返し部として相互に連結させたところの、ナットの径と略等しい二つの環状板からなり、しかもその一方の環状板中央には止めネジの角胴に合致する角穴を、また他方の環状板中央には上記一方の環状板の角穴に対応し、しかも該角穴よりひと回り大きな円形穴を有するとともに、二つの環状板の折り返し部を挟んで角穴および円形穴より外側に位置する環状板の、上記連結部に対して直交方向であって互いに相反する側の端部を切除し、さらにそれぞれの環状板の切除端の反対側端部にそれぞれ同一方向に向けた突起部を形成し、かつ前記折り返し部により二つの環状板を突起部形成側に折り返してなるものであるために、環状の板の両端部に突起部を形成することが可能となり、ネジとナットによる締め付け度合いの微調整をより一層容易にできる。
【００１０】
また突起部の突出が同一方向であるために、バネ板の成形性や生産性に優れ、しかもコストの低減をはかることができる。
【考案を実施するための最良の形態】
【００１１】
以下において本考案の具体的な内容を、図１〜図３にあらわした実施例をもとに説明をすると、図２には理容鋏結合部用のバネ板の実施例が示されている。すなわち該バネ板は図４にあらわしたように、二枚の鋏板１・２を止めネジとナットによる結合具により交差状でかつ回動自在に結合させた鋏の上記結合具３部分内に装入されるものである。なお図４において１ａ・２ａは鋏板１・２のそれぞれの刃先を、また１ｂ・２ｂは操作指環をあらわしている。
【００１２】
本発明のバネ板は図２に示されているように、端部にそれぞれ外側に向けて突起部１４．１９を形成した二枚の環状板１１・１６を重合させるとともに、突起部１４．１９に対応する相手部材、すなわち環状板１６・１１の端部を一部切除することにより、前記突起部１４・１９がナット６により締め付けられた際における各突起部１４．１９を有する側の環状板１６・１１の各端部辺の弾性移動範囲を拡大してバネ板としての機能をより一層拡大させるようにしたものである。
【００１３】
上記した二枚の環状板１１・１６は図１に展開してあらわしたように、ナット６の径と略等しい二つの環状板１１・１６を、一部を折り返し部１６とし、該折り返し部１６を介して相互に連結されている。一方の環状板１１の中央にはヘッド部４ａを有した止めネジ４の正方形の角胴４ｃに合致する角穴１２を、また他方の環状板１６の中央には上記一方の環状板１１の角穴１２に対応し、しかも該角穴１２よりひと回り大きな円形穴１７を有する。
【００１４】
さらに二つの環状板１１・１６間に介在された折り返し部１５を挟んで角穴１２および円形穴１７より外側に位置する環状板１１・１６の、上記連結部１５に対して直交方向であって互いに相反する側の端部を切除して切除端部１３・１８とし、さらにそれぞれの環状板１１・１６の各切除端の反対側端部にそれぞれ同一方向に向けた突起部１４・１９を形成し、かつ前記折り返し部１５により二つの環状板１１・１６を突起部１４・１９の形成突出側に相互に折り返し重合させることにより、前記した図２のバネ板を構成してなる。
【００１５】
つぎに上記のバネ板の使用について説明をすると、図３に拡大してあらわしたように、理容用鋏の二枚の鋏板１・２を止めネジ４とナット６とによる結合具により交差状でかつ回動自在に結合させる場合に、ヘッド部４ａを有する止めネジ４をワッシャー５を介して同図において鋏板１の下側から鋏板２を貫通して上方に向けて挿通させた後、止めネジ４の先端より本考案に係るバネ板を装入し、該バネ板中央部に形成されている角穴１２を止めネジ４の角胴４ｃに合致させてはめ込んだ状態にて鋏板２上に位置せしめ、その後に止めネジ４の先端４ｂからナット６を螺入させてナット６の下面により次第に二つの環状板１１・１６のそれぞれに形成されている突起部１４・１９を下方に向けて圧迫する。
【００１６】
圧迫される突起部１４・１９は、それぞれ重合している二枚の環状板１１・１６の切除された切除端部１３・１８の外方空間により曲折移動距離が拡大されて十分な弾性撓み力を発揮することにより、ナット６の締め付け加減を自在に調整して締め付け度合いの微調整をより一層容易にすることができる。
【図面の簡単な説明】
【００１７】
【図１】本考案の実施例である理容鋏結合部用のバネ板の展開図（Ａ）およびその右側面図（Ｂ）。
【図２】図１の展開状態より二枚の環状板をその折り返し部により二つ折り重合させて形成した本考案のバネ板の平面図（Ａ）と、そのＡーＡ線矢視方向の断面図（Ｂ）およびＢーＢ線矢視方向の断面図（Ｃ）。
【図３】二枚の鋏板を交差状に、しかも相互に回動自在に止着させるための結合具部分に対する本考案のバネ板の装着状態をあらわした部分拡大断面図。
【図４】本考案のバネ板が装着される理容用鋏の一例をあらわした全体図。
【符号の説明】
【００１８】
１        鋏板
１ａ      刃先
１ｂ      操作指環
２        鋏板
２ａ      刃先
２ｂ      操作指環
３        結合部
４        止めネジ
４ａ      ヘッド部
４ｂ      止めネジの先端
４ｃ      角胴
５        ワッシャー
６        ナット
１１      環状板
１２      角穴
１３      切除端部
１４      突起部
１５      連結部
１６      環状板
１７      円形穴
１８      切除端部
１９      突起部
【図１】
0003136385.tif 000003
【図２】
0003136385.tif 000004
【図３】
0003136385.tif 000005
【図４】
0003136385.tif 000006